(57)【要約】【課題】照合判別を行うための機械設備を必要とせずに、慣用の紙製チケットと同様なチケットの取扱いにおいて、偽造チケットを確実に判別できると共に、作成コストの上昇を最小限に抑えることができる偽造防止チケットを提供する。【解決手段】チケット少なくとも一方の面には少なくとも凹凸状の表面を備えた偽造防止識別部が設けられる。偽造防止識別部は少なくとも半券側に形成され、固結成分を含むインキを用いて印刷することにより形成された凹凸状の印刷面或いは像表示媒体である。【選択図】    図１
2004299151.tif 000002
【特許請求の範囲】
【請求項１】
チケット本体と該チケット本体に切り離し線を介して連結された半券とからなるチケットであって、チケット少なくとも一方の面には少なくとも凹凸状の表面を備えた偽造防止識別部が設けられる、偽造防止チケット。
【請求項２】
前記偽造防止識別部は少なくとも半券側に形成される、請求項１に記載の偽造防止チケット。
【請求項３】
前記偽造防止識別部は固結成分を含むインキを用いて印刷することにより形成された凹凸状の印刷面或いは像表示媒体である、請求項１または２に記載の偽造防止チケット。
【発明の詳細な説明】
【０００１】
【発明の属する技術分野】
本発明は、各種のイベントやコンサートや試合等のチケットに関し、特に、偽造チケットを簡単かつ確実に判別することによりチケットの偽造を防止することができる偽造防止チケットに関する。
【０００２】
ここにおいて、本発明は、主として、大日本印刷株式会社が特開２００２−３２６４４２号公報で提案した像表示媒体或いはそれと同等な手段を利用するものである。この像表示媒体は、万線状の凹凸形状を有する表示面に、万線状の直線の集合であって互いにピッチが略半ピッチずれた第１および第２の直線群を印刷したもので、見る方向によって異なった表示が現れるように構成されたものであり、本明細書において、「像表示媒体」の用語で引用されている。
【０００３】
【従来の技術】
チケットの偽造に対する防止手段としては、コピーを作成したときに本物とは異なった内容となるように印刷技術で対応する手段（例えば、特許文献１参照）や、チケットに非接触式ＩＣ等の電子的な照合手段を付加して対応する手段（例えば、特許文献２参照）や、液晶薄膜や発色シート等を積層した用紙を用いて対応する手段（例えば、特許文献３および４参照）が提案されている。
【０００４】
【特許文献１】
特開平７−５２５９３号公報
【特許文献２】
特開平１１−２７７９６３号公報
【特許文献３】
特開２００２−１６６４９０号公報
【特許文献４】
特開平７−８１２８５号公報
【特許文献５】
特開２００２−１０３７８０号公報
【０００５】
【発明が解決しようとする課題】
前述した印刷技術で対応する手段は、近年のカラー複写機やスキャナの性能向上等により、本物に近似した複製を作成することが可能となり、偽造チケットを必ずしも確実に判別することができなくなっている。照合手段を付加して対応する手段は、偽造防止効果を確実にあげることはできるが、チケットの作成コストが高騰するだけでなく、照合を行うための設備を用意しなければならず、高額な設備投資をも必要とし、また、照合に有する時間が必要であるため、入場までの待ち時間が長くなってしまう。積層した用紙を用いて対応する手段は、チケットの作成コストが高騰するだけでなく、半券をもぎる際に切り取り難かったり、券面を汚したりする虞が多分にあった。
【０００６】
従って、本発明は、照合判別を行うための機械設備を必要とせずに、慣用の紙製チケットと同様なチケットの取扱いにおいて、偽造チケットを確実に判別できると共に、作成コストの上昇を最小限に抑えることができる偽造防止チケットを提供する。
【０００７】
【課題を解決するための手段】
本発明による偽造防止チケットは、慣用の紙製チケットと同様に、チケット本体と該チケット本体に切り離し線を介して連結された半券とからなるチケットである。このチケットの少なくとも一方の面には少なくとも凹凸状の表面を備えた偽造防止識別部が設けられる。
【０００８】
カラー複写機やスキャナを用いて複製されたチケットの表面は、人の指による感触では平滑な面として認識される。一方、半券をもぎるとき、係員は客からチケットを受け取り、チケット本体を片方の手指で持ち、他方の手指で半券を掴んで切り離し線に沿って破くという動作を行う。このとき、係員の指はチケットの面に設けられた偽造防止識別部に触れることになるため、その凹凸状表面を指で認識することができる。このため、もぎりの際に指で凹凸を感じられない場合、そのチケットは少なくとも正当なチケットでない可能性があると判別することができ、偽造チケットの使用を防止することができる。
【０００９】
本発明による偽造防止チケットはまた、固結成分を含むインキを用いて印刷することにより形成された凹凸状の印刷面或いは前述した像表示媒体を、少なくとも半券に設けることにより偽造防止識別部を形成することもできる。偽造防止識別部が少なくとも半券側に形成されていることにより、もぎりの際に係員の指先は必然的に偽造防止識別部に触れることになるため、偽造チケットの判別を確実に行うことができる。また、偽造防止識別部が像表示媒体である場合、カラー複写機やスキャナを用いて複製されたチケットには本物とは異なった表示が現れるため、視覚的にも偽造チケットの判別を確実に行うことができる。
【００１０】
【発明の実施の形態】
本発明の実施例による偽造防止チケット１０は、図１に示すように、チケット本体１１とチケット本体１１に切り離し線１２を介して連結された半券１３とから構成される、全体的構成としては慣用の紙製チケットと同様な構成を有している。偽造防止チケット１０の少なくとも一方の面には少なくとも凹凸状の表面を備えた偽造防止識別部２０が設けられる。
【００１１】
偽造防止識別部２０は、図２の（Ａ）に示すように、固結成分を含むインキ３１を用いて印刷することにより凹凸状の印刷面３０を形成するか、或いは、チケットの用紙自体に凹凸を付ける（図示なし）ことにより形成される。好ましくは、偽造防止識別部２０は、図２の（Ｂ）に示すように、万線状の凹凸形状を有する表示面４１と、互いにピッチが略半ピッチずれた２組の万線状の直線群４２、４２とからなる像表示媒体４０により形成される。偽造防止識別部２０を設ける位置、形状および範囲は、半券をもぎる時に係員が必然的に触れることができるのであればどのようにも設定できる。この係員が触れる箇所としては、もぎる行為が半券を回収するための行為であることから、少なくとも半券１３に偽造防止識別部２０を設けることにより対応できる。好ましくは、何らかの手段で入手した本物の半券１３を偽造したチケット本体（１１）に連結させて偽造チケットを作成する可能性を避けるために、もぎる際に通常握るチケット本体１１の部分にもまた偽造防止識別部２０を設けることが好ましい。偽造防止識別部２０を像表示媒体４０で形成する場合、その位置、形状および範囲は、前述のように係員がもぎる際に必然的に触れる箇所であると同時に、係員が偽造防止識別部２０に所定の文字や模様が表示されているかを判別できるように、容易に視認できる箇所に選定されるべきである。
【００１２】
上述の如く構成される本発明の偽造防止チケット１０は、係員が客から偽造防止チケット１０を受け取り、チケット本体１１を片方の手指で持ち、他方の手指で半券１３を掴んで切り離し線に沿って破くという動作を行うとき、係員の指が必然的に偽造防止識別部２０に触れることになるため、その凹凸状表面を指で認識することができる。これに対し、カラー複写機やスキャナを用いて複製された偽造チケットの表面は、人の指による感触では平滑な面として認識されるため、もぎりの際に指で凹凸を感じられない場合、そのチケットは少なくとも正当なチケットでない可能性があると判別することができ、偽造チケットの使用を防止することができる。また、偽造防止識別部２０に像表示媒体４０が用いられている場合、カラー複写機やスキャナを用いて複製されたチケットには一定の方向から見た場合に視認される表示のみが偽造防止識別部２０に表示されるため、視覚的にも偽造チケットの判別を確実に行うことができる。
【００１３】
【発明の効果】
本発明によれば、半券１３をもぎる際に係員の指が必然的に偽造防止識別部２０に触れることになる箇所に偽造防止識別部２０が設けられているため、半券１３をもぎる際に偽造防止識別部２０の凹凸状表面を指で認識することができ、それにより、指で凹凸を感じられない場合、そのチケットは少なくとも正当なチケットでない可能性があると判別することによって偽造チケットの使用を効果的に防止することができる。また、偽造防止識別部２０に像表示媒体４０を用いることにより、指の触感による判別に加え、偽造チケットであるか否かの判別を視覚的にも行うことができ、より確実に偽造チケットの使用を防止することができる。
【図面の簡単な説明】
【図１】本発明の実施例による偽造防止チケットの例を示す平面図である。
【図２】本発明の実施例による偽造防止チケットに用いられる偽造防止識別部を説明するための模式的な拡大部分図および拡大断面図である。
【符号の説明】
１０    偽造防止チケット
１１    チケット本体
１２    切り離し線
１３    半券
２０    偽造防止識別部
３０    印刷面
３１    インキ
４０    像表示媒体
４１    表示面
４２    直線群
【図１】
2004299151.tif 000003
【図２】
2004299151.tif 000004